(57)【特許請求の範囲】
【請求項１】
記録媒体に画像を形成する画像形成部と、
前記画像形成部において形成された記録媒体上の画像を加熱することで定着させる定着手段と、
前記定着手段の温度を検出するための、温度変化により抵抗値が変化する負の温度係数を有する温度検出手段と、を備えた画像形成装置において、
前記温度検出手段の抵抗値が異常昇温の基準となる設定温度に対応して予め設定された第１の抵抗値より低いことを検出する第１の抵抗値検出手段と、
前記温度検出手段の抵抗値が前記温度検出手段の断線異常に対応して予め設定された第２の抵抗値より高いことを検出する第２の抵抗値検出手段と、
前記第１または第２の抵抗値検出手段のいずれか一方を前記温度検出手段に接続するように切り換える切換え手段と、を備え、
前記第１の抵抗値検出手段及び前記第２の抵抗値検出手段は、同一の比較電圧が用いられて共通に使用される比較手段に接続され、
前記第１の抵抗値検出手段及び前記第２の抵抗値検出手段からの出力電圧と前記比較電圧とが比較されて前記比較手段により生成される信号が供給される異常判断手段を有し、
前記異常判断手段は、前記比較手段から供給される信号に基づいて、前記第１の抵抗値検出手段により前記温度検出手段の抵抗値が前記第１の抵抗値より低いことが検出された場合に第１の異常と判断し、前記第２の抵抗値検出手段により前記温度検出手段の抵抗値が前記第２の抵抗値より高いことが検出された場合に第２の異常と判断する
ことを特徴とする画像形成装置。
【請求項２】
前記切換え手段は、前記第１または第２の抵抗値検出手段のいずれか一方を前記温度検出手段に接続するための切換え信号を生成する切換え信号生成手段と、前記切換え信号に基づいて、前記第１の抵抗値検出手段と前記第２の抵抗値検出手段とを切り換えるスイッチとを備え、
前記異常判断手段は、前記比較手段から送出される検出信号が前記第１または第２の抵抗値検出手段のいずれによるものかを、前記切換え信号生成手段によって生成される切換え信号によって判断する
ことを特徴とする請求項１記載の画像形成装置。
【請求項３】
前記異常判断手段により判断された第１の異常または第２の異常に対応する情報を表示する表示手段を備える
ことを特徴とする請求項１または２記載の画像形成装置。
【請求項４】
記録媒体に画像を形成する画像形成部と、
前記画像形成部において形成された記録媒体上の画像を加熱することで定着させる定着手段と、
前記定着手段の温度を検出するための、温度変化により抵抗値が変化する負の温度係数を有する温度検出手段と、を備えた画像形成装置において、
前記温度検出手段の一端が検出点と抵抗とを順次介して接地側に接続されるとともに前記温度検出手段の他端が高圧側に接続される第１の回路状態と、前記温度検出手段の一端が検出点と抵抗とを順次介して高圧側に接続されるとともに前記温度検出手段の他端が接地側に接続される第２の回路状態と、を切り換える切換え手段と、
前記切換え手段による切換えに伴って、前記第１の回路状態の時の検出点の出力または前記第２の回路状態の時の検出点の出力と、予め設定された比較電圧とが比較され、前記第１の回路状態の時の検出点の出力と前記比較電圧との比較に基づいて第１の異常を判断し、前記第２の回路状態の時の検出点の出力と前記比較電圧との比較に基づいて第２の異常を判断する異常判断手段と、を有する
ことを特徴とする画像形成装置。
【請求項５】
前記切換え手段は、前記第１の回路状態と前記第２の回路状態とを切り換えるための切換え信号を生成する切換え信号生成手段と、前記切換え信号生成手段から出力される切換え信号に基づいて、前記第１の回路状態と前記第２の回路状態とを切り換えるスイッチとを備え、
前記異常判断手段は、前記検出点の出力が前記第１の回路状態の時と前記第２の回路状態の時とのいずれによるものかを、前記切換え信号生成手段によって生成される切換え信号によって判断する
ことを特徴とする請求項４記載の画像形成装置。
【請求項６】
前記異常判断手段により判断された第１の異常または第２の異常に対応する情報を表示する表示手段を備える
ことを特徴とする請求項４または５記載の画像形成装置。
【発明の詳細な説明】
【０００１】
【発明の属する技術分野】
本発明は、画像形成部において形成された記録媒体上の画像を加熱することで定着させる定着手段を備え、その定着手段の異常を検出する構成に特徴を備えた画像形成装置に関する。
【０００２】
【従来の技術】
従来より、いわゆる電子写真方式の画像形成装置においては、感光ドラムにトナー像を形成し、記録媒体（シート材）に該トナー像を転写して記録媒体の表面に画像を形成する画像形成部と、その下流側に記録媒体に形成されたトナー像を加熱することでトナーを記録媒体表面に溶着させて固定させる定着装置が備えられている。
【０００３】
そして、定着装置に関しては記録媒体に一定の熱量が伝達されるように加熱部の温度管理が行われている。この加熱部の温度管理は、サーミスタ等の温度検出素子で行われているが、サーミスタ自体の断線異常と、加熱部の過昇温異常の検出は、サーミスタが負の温度係数を有していることから、同一の異常として検出されていた。
【０００４】
【発明が解決しようとしている課題】
従って、サーミスタから異常の信号が発せられた場合には、断線異常か過昇温異常かを直ちに判断することが不可能であり、配線チェックや温度チェック等を行って異常原因を究明した後に、発生した異常に対して対処するという作業が行われていた。
【０００５】
本発明は上記従来技術の問題を解決するためになされたもので、その目的とするところは、温度検出素子の断線異常か過昇温異常かを即時に判断可能とすることでメンテナンス性の向上した画像形成装置を提供することにある。
【０００６】
【課題を解決するための手段】
上記目的を達成するために本発明の第１の発明は、
記録媒体に画像を形成する画像形成部と、
前記画像形成部において形成された記録媒体上の画像を加熱することで定着させる定着手段と、
前記定着手段の温度を検出するための、温度変化により抵抗値が変化する負の温度係数を有する温度検出手段と、を備えた画像形成装置において、
前記温度検出手段の抵抗値が異常昇温の基準となる設定温度に対応して予め設定された第１の抵抗値より低いことを検出する第１の抵抗値検出手段と、
前記温度検出手段の抵抗値が前記温度検出手段の断線異常に対応して予め設定された第２の抵抗値より高いことを検出する第２の抵抗値検出手段と、
前記第１または第２の抵抗値検出手段のいずれか一方を前記温度検出手段に接続するように切り換える切換え手段と、を備え、
前記第１の抵抗値検出手段及び前記第２の抵抗値検出手段は、同一の比較電圧が用いられて共通に使用される比較手段に接続され、
前記第１の抵抗値検出手段及び前記第２の抵抗値検出手段からの出力電圧と前記比較電圧とが比較されて前記比較手段により生成される信号が供給される異常判断手段を有し、
前記異常判断手段は、前記比較手段から供給される信号に基づいて、前記第１の抵抗値検出手段により前記温度検出手段の抵抗値が前記第１の抵抗値より低いことが検出された場合に第１の異常と判断し、前記第２の抵抗値検出手段により前記温度検出手段の抵抗値が前記第２の抵抗値より高いことが検出された場合に第２の異常と判断する
ことを特徴とする。
また、本発明の第２の発明は、
記録媒体に画像を形成する画像形成部と、
前記画像形成部において形成された記録媒体上の画像を加熱することで定着させる定着手段と、
前記定着手段の温度を検出するための、温度変化により抵抗値が変化する負の温度係数を有する温度検出手段と、を備えた画像形成装置において、
前記温度検出手段の一端が検出点と抵抗とを順次介して接地側に接続されるとともに前記温度検出手段の他端が高圧側に接続される第１の回路状態と、前記温度検出手段の一端が検出点と抵抗とを順次介して高圧側に接続されるとともに前記温度検出手段の他端が接地側に接続される第２の回路状態と、を切り換える切換え手段と、
前記切換え手段による切換えに伴って、前記第１の回路状態の時の検出点の出力または前記第２の回路状態の時の検出点の出力と、予め設定された比較電圧とが比較され、前記第１の回路状態の時の検出点の出力と前記比較電圧との比較に基づいて第１の異常を判断し、前記第２の回路状態の時の検出点の出力と前記比較電圧との比較に基づいて第２の異常を判断する異常判断手段と、を有する
ことを特徴とする。
【０００７】
また、第１の発明において、前記切換え手段は、前記第１または第２の抵抗値検出手段のいずれか一方を前記温度検出手段に接続するための切換え信号を生成する切換え信号生成手段と、前記切換え信号に基づいて、前記第１の抵抗値検出手段と前記第２の抵抗値検出手段とを切り換えるスイッチとを備え、前記異常判断手段は、前記比較手段から送出される検出信号が前記第１または第２の抵抗値検出手段のいずれによるものかを、前記切換え信号生成手段によって生成される切換え信号によって判断することを特徴とすることも良い。
また、第２の発明において、前記切換え手段は、前記第１の回路状態と前記第２の回路状態とを切り換えるための切換え信号を生成する切換え信号生成手段と、前記切換え信号生成手段から出力される切換え信号に基づいて、前記第１の回路状態と前記第２の回路状態とを切り換えるスイッチとを備え、前記異常判断手段は、前記検出点の出力が前記第１の回路状態の時と前記第２の回路状態の時とのいずれによるものかを、前記切換え信号生成手段によって生成される切換え信号によって判断することを特徴とすることも良い。
【０００８】
また、前記異常判断手段により判断された第１の異常または第２の異常に対応する情報を表示する表示手段を備えることを特徴とすることもよい。
【００１０】
【発明の実施の形態】
以下に、図面を参照して本発明の実施の形態を説明する。
【００１１】
図１に、本発明にかかる画像形成装置の一例として、電子写真方式の複写機の概略構成を示す。同図に示す複写機１は、原稿の自動給送を行う循環式自動原稿送り装置（以下ＲＤＦと記す）２と、画像形成装置本体（以下単に装置本体と記す）３とを備えている。尚、このＲＤＦ２は、装置本体３に対して自在に組合わせ使用できるようになっている。
【００１２】
装置本体３は、上部に原稿載置台としての原稿台ガラス５を備えている。また、その下方には、画像読取り手段としての光学系６があり、この光学系６は、露光ランプ６ａと、走査ミラー６ｂと、ズームレンズ６ｃと、不図示のモータを備えており、露光ランプ６ａで原稿を照明し、原稿からの反射光を走査ミラー６ｂとズームレンズ６ｃにより感光体ドラム７ａに照射するようになっている。
【００１３】
感光体ドラム７ａに原稿からの反射光を照射する方法には次の２通りの方法がある。まず、原稿を原稿台ガラス５上に固定させた状態で、露光ランプ６ａを移動させる方法（以下固定読みと記す）と、露光ランプ６ａを固定させた状態で、原稿台ガラス５上の原稿を移動させる方法（以下流し読みと記す）である。
【００１４】
光学系６の下方には、画像形成部７が配設されており、この画像形成部７は、矢印Ａ１方向に回転自在に配置された感光体ドラム７ａと、該感光体ドラム７ａの回りにその回転方向に沿って順に配置される高圧ユニット７ｂ、ブランク露光ユニット７ｃ、電位センサ７ｄ、現像器７ｅ、転写帯電器７ｆ、分離帯電器７ｇ、及びクリーニング装置７ｈを備えている。
【００１５】
感光体ドラム７ａは、不図示のメインモータにより回転駆動され、高圧ユニット７ｂによりコロナ帯電された後、光学系６から原稿の反射光が照射されて、静電潜像が形成されるように構成されている。そして、この静電潜像は、現像器７ｅにより現像されてトナー像として可視化されるようになっている。
【００１６】
一方、装置本体３下部には、１段目カセット９ａ、２段目カセット９ｂ、３段目カセット９ｃ、４段目カセット９ｄの４段構成からなる給紙カセット部９が備えられている。
【００１７】
それぞれのカセットには載置されている記録媒体としてのシート材Ｓを給送する為の給紙部が同様に備えられているが、一例として、３段目カセット９ｃの給紙部によりその概略構成を説明すると、３段目カセット９ｃの先端上部には、シート材Ｓを給送する給紙ローラ１１ａとピックアップローラ１０ａが配設されている。
【００１８】
さらに、それらの下流には、シート材Ｓを画像形成部７へと供給する垂直搬送経路Ｈ０に搬送ローラ１２ａ，１２ｂ，１２ｃ，１２ｄが配設されていて、シート材Ｓが画像形成部７近傍に設けられたレジストローラ対１３に搬送されるように構成されている。画像形成部７の近傍にはシート材Ｓを手差しによって画像形成部に搬送するマルチ手差し１４が配設されている。
【００１９】
また、画像形成部７下流には、画像形成されたシート材Ｓを下流に搬送する搬送ベルト１５が配設されており、該搬送ベルト１５の下流側には、加熱によりトナー像をシート材Ｓの表面に定着させる定着手段としての定着器１６が備えられている。
【００２０】
定着器１６は、所定の定着温度に加熱される定着ローラ１６ａと定着ローラ１６ａに対向して接触する下ローラ１６ｂを備え、搬送ベルト１５により画像形成部７から搬送されるシート材Ｓ表面のトナー画像を加熱圧着させる。また、定着ローラ１６ａの温度制御を行なう温度検出手段としてのサーミスタ（不図示）が、この実施の形態では定着ローラに接触するように備えられている。
【００２１】
そして、定着器１６近傍には、両面および多重記録に搬送する時の経路Ｈ２と装置本体３の機外排出時の経路Ｈ１、及びそれらを切り替える排紙フラッパ１７が配設されており、該機外排出時の経路Ｈ１には排出ローラ対１９が備えられている。
【００２２】
定着器１６の下部には、両面および多重複写されるシート材Ｓの搬送経路２０が設けられており、その下流にはシート材を一時収納トレイ２３に排出する排出ローラ対２１と、シート材Ｓの排出を検知する排出センサ２２とが配設されている。そして、排出センサ２２の近傍には、画像形成後に搬送されてきたシート材Ｓを一時収納した後、順次再給紙するシート材の再給紙装置３４が備えられている。
【００２３】
一時収納トレイ２３は、再給送分離ベルト３３への到達を補助するために、斜構造をとり、その先端近傍に再給紙ローラ３１が配設されており、さらにその下流には再給送送出ローラ３２と再給送分離ベルト３３が当接されていて、シート材Ｓが１枚ずつ再給送するように構成されている。
【００２４】
また、再給送送出ローラ３２と再給送分離ベルト３３の近傍には多重フラッパ３６が配設されており、該多重フラッパ３６の下流には、上方に、多重記録時シート材Ｓの画像形成面を反転させる反転搬送経路３７が、下方に、再度画像形成部７にシート材Ｓを搬送する搬送経路３９と搬送ローラ対４０ａ，４０ｂ，４０ｃ，４０ｄがそれぞれ配設されている。
【００２５】
また、上記に説明した搬送経路のそれぞれにはシート材Ｓの通過を検知するセンサ５０，５１，５２，５３，５４，５５，５６，５７，５８が配設されている。
【００２６】
図２は本実施の形態の制御装置１００のブロック図を示す。制御装置１００は、読み取り専用メモリ（ＲＯＭ）１０２に記憶された制御手順にしたがって複写機全体の制御を行うＣＰＵ１０１と、装置本体３の制御装置の制御手順（制御プログラム）を記憶した読み取り専用メモリ（ＲＯＭ）１０２と、入力データの記憶や作業用記憶領域等として用いる主記憶装置であるところのランダムアクセスメモリ（ＲＡＭ）１０３と、メインモータ等の負荷に対するＣＰＵ１０１の制御信号の出力、およびセンサ等の信号を入力してＣＰＵ１０１に送るインターフェース部（Ｉ／Ｏ）１０４とを備えている。
【００２７】
そして、Ｉ／Ｏ１０４を介して装置本体３に備えられ、又は接続される各種装置の信号がＣＰＵ１０１との間で伝達される。一例としては、一点鎖線に囲まれた領域Ｒ１に示されるように、ソーター制御、原稿のジャム検知、ステープル制御、シート材搬送等の制御が行なわれる。
【００２８】
図３は前記の装置本体３に設けた操作パネル２００の配置構成例を示す。図３において、６０１はユーザモードキーであり、オペレータ（使用者）が、自動ソートのＯＮ／ＯＦＦ、ソータ手前取り出しのＯＮ／ＯＦＦ、スキップ両面ＯＮ／ＯＦＦ、フィーダ手差しオートスタートのＯＮ／ＯＦＦ、カセットのオート選択のＯＮ／ＯＦＦ、プザーのＯＮ／ＯＦＦ設定、少し小さめモードの変更、予熱モードの設定、仕様設定の初期化、標準モードの変更、オートクリアタイムの変更、オートパワーオフタイムの変更、ウイークリータイマの設定、曜日／時刻の設定、ズーム微調整、フィーダのクリーニング、ワイヤのクリーニング等の設定や調整に用いる。
【００２９】
６０２はガイドキーであり、各種キーに対応する機能の説明を、メッセージディスプレイに表示するときに用いる。６０４はクリアキーであり、設定した複写枚数を解除するときに使用する。
【００３０】
６０５は複写開始キー（コピースタートキー）であり、複写を開始するときに押す。６０６は割り込みキーであり、複写動作中に割り込んで、別の複写をするときに押す。このキーは自照式のキーであり、割り込みを受け付けると点灯し、割り込み中は点灯する。
【００３１】
６０７は予熱キーであり、予熱モードにするときに押す。このキーは自照式のキーであり、予熱モード時には点灯する。６０８はテンキーであり、複写枚数を設定するときに押す。
【００３２】
６０９はストップキーであり、連続複写を中断するときに押す。このキーを押した時点での複写が終了した後に、複写動作が停止する。６１０はオールリセットキーであり、標準モードに戻すときに押す。
【００３３】
６１５は表示手段としての複写に関する情報や装置本体に異常が発生した場合の警告を表示するＬＣＤ（液晶）タイプのタッチパネル付のメッセージディスプレイであり、２４０×３２０ドットで文字や図形を表示する。このメッセージディスプレイは、標準状態では、定形変倍キー、等倍キー、ズームキー、少し小さめキー、用紙選択キー、複写濃度キー、ソータの機能を選択するためのソータキー、両面コピーに関するモードを設定するための両面キー、その他に、枠消し、とじ代、表紙／合紙、縮小レイアウト、拡大レイアウト、ＯＨＰ中差し、ページ連写、多重、原稿混戦、写真、モードメモリ等の応用コピーに関する複写モードを設定するための応用モードキーが表示され、各キーに対応する部分をタッチすることにより、さらにその内容に関するウィンドウが表示される。また、この他に紙詰まりやエラーを起こしたときの操作手順等や装置異常時の警告も表示される。
【００３４】
図４（ａ）は定着ローラ１６ａの温度を検出する為に配設された負の温度係数を備えるサーミスタ４１０からの信号を監視する異常監視回路Ｃ１の概略図を示す。この異常監視回路Ｃ１は切換え信号生成手段としての発振回路４０１の出力をもとに切換え手段としてのスイッチ４０２，４０３，４０４，４０５によりサーミスタ４１０と接続される回路が切り換わる。
【００３５】
発振回路４０１からは所定の周波数の矩形波が出力され、その出力（Ｂ点）が“Ｈ”の時、スイッチ４０２，４０５がオン、スイッチ４０３，４０４がオフして、図４（ｂ）の太線の回路（第１の抵抗値検出手段）が選択された状態となり、抵抗４０７がサーミスタ４１０とアースとの間に接続されると共に、サーミスタ４１０の一方の側の電圧としてのアース側の電圧（サーミスタ４１０と抵抗４０７との間の電圧）が比較手段としてのコンパレータ４０９に入力される。この状態は第１の異常としてのサーミスタ４１０の異常昇温監視状態となる。
【００３６】
また、発振回路４０１の出力が“Ｌ”の時、スイッチ４０３，４０４がオン、スイッチ４０２，４０５がオフして、図４（ｃ）の太線の回路（第２の抵抗値検出手段）が選択された状態となり、抵抗４０８がサーミスタ４１０と高圧側との間に接続されると共に、サーミスタ４１０の他方の側の電圧としての高圧側の電圧（サーミスタと抵抗４０８との間の電圧）が比較手段としてのコンパレータ４０９に入力される。この状態は第２の異常としてのサーミスタ４１０の断線監視状態となる。
【００３７】
ここで、４０６はスイッチ４０２及び４０５と４０３及び４０４との位相を逆転させるための反転素子である。また、コンパレータ４０９の出力信号は、Ｉ／Ｏ１０４を介して異常判断手段として機能するＣＰＵ１０１により判断され、異常状態が装置本体１に認識される。
【００３８】
図５は、発振回路４０１により発生される切換え信号（出力Ｈと出力Ｌ）と、この信号により切換えられた回路のＡ点における電圧に対応するコンパレータ４０９の出力を図５（ａ）は正常動作時、図５（ｂ）は異常昇温発生時、図５（ｃ）は断線時として示した図である。
【００３９】
図５（ａ）の正常動作時には、Ａ点の電圧はＶref より低く、コンパレータ４０９の出力は常に”Ｌ”である。
【００４０】
図５（ｂ）と図５（ｃ）の異常時（異常昇温時あるいは断線時）にはＡ点の電圧はＶref より高くなり、コンパレータ４０９の出力は発振回路４０１と同じ周波数の矩形波が出力され、その出力が“Ｈ”となる時、異常と判断して装置の全動作を停止及び禁止させる。そして、その時点での発振回路４０１の出力をみて、“Ｈ”の時は異常昇温発生と判断して装置の電源を遮断させ、“Ｌ”の時は断線状態と判断してディスプレイ６１５にサーミスタの断線異常を表示させる。
【００４１】
図６は異常監視回路Ｃ１のＡ点の電圧の変化を示す。図６（ａ）は発振回路４０１の出力（Ｂ点）が“Ｌ”の時、すなわちサーミスタの断線監視時の温度に対するＡ点の電圧変化であり、図６（ｂ）は発振回路４０１の出力（Ｂ点）が“Ｈ”の時、すなわちサーミスタの異常昇温監視時の温度に対するＡ点の電圧変化を示す。これらをみると、いずれの異常時にもコンパレータ４０９の入力電圧がＶref を越え（図６（ａ）ではＶｃであり、図６（ｂ）ではＶｈ）、コンパレータ４０９の出力が発振回路４０１と同じ周波数の矩形波となり、シャットオフに至る。
【００４２】
図７に異常監視のフローチャートを示す。コンパレータ４０９の出力が“Ｈ”であると検出された場合（Ｓ６０１）、装置の全動作を停止及び禁止させ（Ｓ６０２）、その時点での発振回路４０１の出力をみて、“Ｈ”の時は異常昇温状態、“Ｌ”の時は断線状態と判断する（Ｓ６０３）。異常昇温と判断された場合はメモリ１０３に異常昇温発生の履歴を記憶させ（Ｓ６０４）装置の電源を遮断させる（Ｓ６０４）、断線状態と判断された場合はディスプレイ６１５にサーミスタの断線異常を表示させる。
【００４３】
【発明の効果】
以上説明したように、温度検出手段に第１及び第２の抵抗値検出手段を切換えて接続することで、温度検出手段の抵抗値が予め設定された第１の抵抗値より低い第１の異常と、温度検出手段の抵抗値が予め設定された第２の抵抗値より高い第２の異常とを区別して検出することができるので、温度検出手段の異常昇温状態または断線状態を即時に判断可能とし、異常が発生した場合の原因究明を迅速に行うことができ、メンテナンス性を向上させることができる。
【図面の簡単な説明】
【図１】図１は画像形成装置の概略構成を説明する図。
【図２】図２は制御装置のブロック図。
【図３】図３は操作パネルの配置構成図。
【図４】図４は異常監視回路の概略構成図。
【図５】図５は発振回路とコンパレータの出力信号図。
【図６】図６は異常監視回路のＡ点の電圧の変化を示す図。
【図７】図７は異常監視のフローチャート。
【符号の説明】
１  複写機（画像形成装置）
２  ＲＤＦ
３  装置本体
５  原稿台ガラス
６  光学系
６ａ  露光ランプ
６ｂ  走査ミラー
６ｃ  ズームレンズ
７  画像形成部
７ａ  感光体ドラム
７ｂ  高圧ユニット
７ｃ  ブランク露光ユニット
７ｄ  電位センサ
７ｅ  現像器
７ｆ  転写帯電器
７ｇ  分離帯電器
７ｈ  クリーニング装置
９  給紙カセット部
９ａ  １段目カセット
９ｂ  ２段目カセット
９ｃ  ３段目カセット
９ｄ  ４段目カセット
１０ａ  ピックアップローラ
１１ａ  給紙ローラ
１２ａ，１２ｂ，１２ｃ，１２ｄ  搬送ローラ
１３  レジストローラ対
１４  マルチ手差し
１５  搬送ベルト
１６  定着器（定着手段）
１６ａ  定着ローラ
１６ｂ  下ローラ
１７  排紙フラッパ
１９  排出ローラ対
２０  搬送経路
２１  排出ローラ対
２２  排出センサ
２３  収納トレイ
３１  再給紙ローラ
３２  再給送送出ローラ
３３  再給送分離ベルト
３４  再給紙装置
３６  多重フラッパ
３７  反転搬送経路
３９  搬送経路
４０ａ，４０ｂ，４０ｃ，４０ｄ  搬送ローラ対
５０，５１，５２，５３，５４，５５，５６，５７，５８  センサ
１００  制御装置
１０１  ＣＰＵ
１０２  ＲＯＭ
１０３  ＲＡＭ
１０４  Ｉ／Ｏ
２００  操作パネル
４０１  発信回路（切換え信号生成手段）
４０２，４０３，４０４，４０５  スイッチ（切換え手段）
４０６  反転素子
４０７，４０８  抵抗
４０９  コンパレータ（比較手段）
４１０  サーミスタ
６０１  ユーザーモードキー
６０２  ガイドキー
６０４  クリアキー
６０５  複写開始キー
６０６  割り込みキー
６０７  予熱キー
６０８  テンキー
６０９  ストップキー
６１０  オールリセットキー
６１５  メッセージディスプレイ（表示手段）
Ｃ１  異常監視回路
Ｓ  シート材
Ｈ０  垂直搬送経路
Ｈ１，Ｈ２  経路
【図１】
0003880124.tif 000002
【図２】
0003880124.tif 000003
【図３】
0003880124.tif 000004
【図４】
0003880124.tif 000005
【図５】
0003880124.tif 000006
【図６】
0003880124.tif 000007
【図７】
0003880124.tif 000008